【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数の基地局に関連付けられた通信構成のセットを受信することと、ここにおいて、通信構成の前記セットのうちの１つの通信構成は、疑似コロケーション（ＱＣＬ）インジケーションおよびレートマッチング構成を備えるコードワード固有の構成を備え、前記ＱＣＬインジケーションは、第１のコードワードに関連付けられた復調基準信号（ＤＭＲＳ）アンテナポートの第１のセットが疑似コロケートされていること、および、ＤＭＲＳアンテナポートの前記第１のセットが、第２のコードワードに関連付けられたＤＭＲＳアンテナポートの第２のセットに疑似コロケートされていないことを示し、
通信構成の前記セットからの前記通信構成のインジケーションを受信することと、
前記通信構成を使用して前記複数の基地局のうちの少なくとも１つの基地局と通信することと
を備える、方法。
【請求項２】
前記通信構成は、チャネル状態情報（ＣＳＩ）電力オフセット構成、ＣＳＩサブフレームセット構成、コードブック制限、またはこれらの任意の組み合わせをさらに備える、請求項１に記載の方法。
【請求項３】
前記レートマッチング構成は、物理ダウンリンク共有チャネル（ＰＤＳＣＨ）送信のための開始シンボル、ＰＤＳＣＨ送信のための終了シンボル、マルチメディアブロードキャストマルチキャスト（ＭＢＭＳ）単一周波数ネットワーク（ＭＢＳＦＮ）インジケーション、セル固有の基準信号（ＣＲＳ）構成、１つまたは複数の非ゼロ電力ＣＳＩ基準信号（ＮＺＰ ＣＳＩ−ＲＳ）構成、またはこれらの任意の組み合わせを備える、請求項１に記載の方法。
【請求項４】
前記通信構成に少なくとも部分的に基づいて前記複数の基地局の各々に対するリソース割り振りを識別することをさらに備え、前記通信することは、前記リソース割り振りに少なくとも部分的に基づく、請求項１に記載の方法。
【請求項５】
前記通信構成に少なくとも部分的に基づいて前記少なくとも１つの基地局のためのＣＳＩ−ＲＳポート構成を識別することと、
前記少なくとも１つの基地局にＣＳＩレポートを送信することと、ここにおいて、前記ＣＳＩレポートは、前記ＣＳＩ−ＲＳポート構成および前記複数の基地局に基づき、
をさらに備える、請求項１に記載の方法。
【請求項６】
前記ＣＳＩ−ＲＳポート構成は、前記ＵＥのための受信ポートの数および前記少なくとも１つの基地局のための送信ポートの数に少なくとも部分的に基づく、請求項５に記載の方法。
【請求項７】
前記通信構成に少なくとも部分的に基づいて前記少なくとも１つの基地局についての個々のＣＳＩレポートを生成することと、ここにおいて、前記通信構成は、単一の基地局との通信に基づき、
前記個々のＣＳＩレポートを送信することと
をさらに備える、請求項１に記載の方法。
【請求項８】
前記通信構成に少なくとも部分的に基づいて前記複数の基地局の各々についての組み合わされたＣＳＩレポートを生成することと、ここにおいて、前記通信構成は、前記複数の基地局との通信に基づき、
前記複数の基地局の各々についての前記組み合わされたＣＳＩレポートを送信することと
をさらに備える、請求項１に記載の方法。
【請求項９】
前記通信構成に少なくとも部分的に基づいて前記複数の基地局の各々のための特殊サブフレーム構成を識別することをさらに備え、前記通信することは、前記特殊サブフレーム構成に少なくとも部分的に基づく、請求項１に記載の方法。
【請求項１０】
前記特殊サブフレーム構成は、ＤＭＲＳパターンを備え、前記通信することは、前記ＤＭＲＳパターンに少なくとも部分的に基づく、請求項９に記載の方法。
【請求項１１】
前記通信構成は、アップリンク（ＵＬ）構成およびダウンリンク（ＤＬ）構成を備える、請求項１に記載の方法。
【請求項１２】
前記通信構成は、拡張物理ダウンリンク制御チャネル（ｅＰＤＣＣＨ）構成を備え、前記通信することは、前記ｅＰＤＣＣＨ構成に少なくとも部分的に基づく、請求項１に記載の方法。
【請求項１３】
前記ｅＰＤＣＣＨ構成は、前記コードワード固有の構成に関連付けられた１つまたは複数のｅＰＤＣＣＨリソースセットを備える、請求項１に記載の方法。
【請求項１４】
前記複数の基地局は、協調ビームフォーミング（ＣＢＦ）モード、動的ポイント選択（ＤＰＳ）モード、またはジョイント送信（ＪＴ）モードを備える多地点協調（ＣｏＭＰ）構成にしたがって協調され、通信することは、前記ＣｏＭＰ構成に少なくとも部分的に基づく、請求項１に記載の方法。
【請求項１５】
ワイヤレス通信の方法であって、
複数の基地局に関連付けられた通信構成のセットを送信することと、ここにおいて、通信構成の前記セットのうちの１つの通信構成は、疑似コロケーション（ＱＣＬ）インジケーションおよびレートマッチング構成を備えるコードワード固有の構成に基づき、前記ＱＣＬインジケーションは、第１のコードワードに関連付けられた復調基準信号（ＤＭＲＳ）アンテナポートの第１のセットが疑似コロケートされていること、および、ＤＭＲＳアンテナポートの前記第１のセットが、第２のコードワードに関連付けられたＤＭＲＳアンテナポートの第２のセットに疑似コロケートされていないことを示し、
通信構成の前記セットからの前記通信構成のインジケーションを送信することと、
前記通信構成を使用してユーザ機器と通信することと
を備える、方法。
【請求項１６】
前記通信構成は、ＣＳＩ電力オフセット構成、ＣＳＩサブフレームセット構成、コードブック制限、またはこれらの任意の組み合わせをさらに備える、請求項１５に記載の方法。
【請求項１７】
前記通信構成に少なくとも部分的に基づいてＣＳＩ−ＲＳポート構成を識別することと、
前記ＣＳＩ−ＲＳポート構成および前記複数の基地局に基づいてＣＳＩレポートを受信することと
をさらに備える、請求項１５に記載の方法。
【請求項１８】
前記通信構成に少なくとも部分的に基づいて組み合わされたＣＳＩレポートを受信することをさらに備え、前記通信構成は、前記複数の基地局との通信に基づく、請求項１５に記載の方法。
【請求項１９】
ワイヤレス通信のための装置であって、
プロセッサと、
前記プロセッサと電子通信しているメモリと、
前記メモリに記憶された命令と、
を備え、前記命令は、前記プロセッサによって実行されると、前記装置に、
複数の基地局に関連付けられた通信構成のセットを受信することと、ここにおいて、通信構成の前記セットのうちの１つの通信構成は、疑似コロケーション（ＱＣＬ）インジケーションおよびレートマッチング構成を備えるコードワード固有の構成を備え、前記ＱＣＬインジケーションは、第１のコードワードに関連付けられた復調基準信号（ＤＭＲＳ）アンテナポートの第１のセットが疑似コロケートされていること、および、ＤＭＲＳアンテナポートの前記第１のセットが、第２のコードワードに関連付けられたＤＭＲＳアンテナポートの第２のセットに疑似コロケートされていないことを示し、
通信構成の前記セットからの前記通信構成のインジケーションを受信することと、
前記通信構成を使用して前記複数の基地局のうちの少なくとも１つの基地局と通信することと
を行わせるように動作可能である、装置。
【請求項２０】
前記通信構成は、チャネル状態情報（ＣＳＩ）電力オフセット構成、ＣＳＩサブフレームセット構成、コードブック制限、またはこれらの任意の組み合わせをさらに備える、請求項１９に記載の装置。
【請求項２１】
前記レートマッチング構成は、物理ダウンリンク共有チャネル（ＰＤＳＣＨ）送信のための開始シンボル、ＰＤＳＣＨ送信のための終了シンボル、マルチメディアブロードキャストマルチキャスト（ＭＢＭＳ）単一周波数ネットワーク（ＭＢＳＦＮ）インジケーション、セル固有の基準信号（ＣＲＳ）構成、１つまたは複数の非ゼロ電力ＣＳＩ基準信号（ＮＺＰ ＣＳＩ−ＲＳ）構成、またはこれらの任意の組み合わせを備える、請求項１９に記載の装置。
【請求項２２】
前記命令は、前記プロセッサに、
前記通信構成に少なくとも部分的に基づいて前記複数の基地局の各々に対するリソース割り振りを識別することを行わせるように動作可能であり、前記通信することは、前記リソース割り振りに少なくとも部分的に基づく、請求項１９に記載の装置。
【請求項２３】
前記命令は、前記プロセッサに、
前記通信構成に少なくとも部分的に基づいて前記少なくとも１つの基地局のためのＣＳＩ−ＲＳポート構成を識別することと、
前記少なくとも１つの基地局にＣＳＩレポートを送信することと、ここにおいて、前記ＣＳＩレポートは、前記ＣＳＩ−ＲＳポート構成および前記複数の基地局に基づき、
を行わせるように動作可能である、請求項１９に記載の装置。
【請求項２４】
前記ＣＳＩ−ＲＳポート構成は、前記ＵＥのための受信ポートの数および前記少なくとも１つの基地局のための送信ポートの数に少なくとも部分的に基づく、請求項２３に記載の装置。
【請求項２５】
前記命令は、前記プロセッサに、
前記通信構成に少なくとも部分的に基づいて前記少なくとも１つの基地局についての個々のＣＳＩレポートを生成することと、ここにおいて、前記通信構成は、単一の基地局との通信に基づき、
前記個々のＣＳＩレポートを送信することと
を行わせるように動作可能である、請求項１９に記載の装置。
【請求項２６】
前記命令は、前記プロセッサに、
前記通信構成に少なくとも部分的に基づいて前記複数の基地局の各々についての組み合わされたＣＳＩレポートを生成することと、ここにおいて、前記通信構成は、前記複数の基地局との通信に基づき、
前記複数の基地局の各々についての前記組み合わされたＣＳＩレポートを送信することと
を行わせるように動作可能である、請求項１９に記載の装置。
【請求項２７】
前記命令は、前記プロセッサに、
前記通信構成に少なくとも部分的に基づいて前記複数の基地局の各々のための特殊サブフレーム構成を識別することを行わせるように動作可能であり、前記通信することは、前記特殊サブフレーム構成に少なくとも部分的に基づく、請求項１９に記載の装置。
【請求項２８】
前記特殊サブフレーム構成は、復調基準信号（ＤＭＲＳ）パターンを備え、前記通信することは、前記ＤＭＲＳパターンに少なくとも部分的に基づく、請求項２７に記載の装置。
【請求項２９】
前記通信構成は、アップリンク（ＵＬ）構成およびダウンリンク（ＤＬ）構成を備える、請求項１９に記載の装置。
【請求項３０】
ワイヤレス通信のための装置であって、
プロセッサと、
前記プロセッサと電子通信しているメモリと、
前記メモリに記憶された命令と、
を備え、前記命令は、前記プロセッサによって実行されると、前記装置に、
複数の基地局に関連付けられた通信構成のセットを送信することと、ここにおいて、通信構成の前記セットのうちの１つの通信構成は、疑似コロケーション（ＱＣＬ）インジケーションおよびレートマッチング構成を備えるコードワード固有の構成に基づき、前記ＱＣＬインジケーションは、第１のコードワードに関連付けられた復調基準信号（ＤＭＲＳ）アンテナポートの第１のセットが疑似コロケートされていること、および、ＤＭＲＳアンテナポートの前記第１のセットが、第２のコードワードに関連付けられたＤＭＲＳアンテナポートの第２のセットに疑似コロケートされていないことを示し、
通信構成の前記セットからの前記通信構成のインジケーションを送信することと、
前記通信構成を使用してユーザ機器と通信することと
を行わせるように動作可能である、装置。